(57)【要約】【課題】ヘッドレストに後方からの荷重入力があってもヘッドレストステーに差込み方向の軸圧縮力が掛かりにくくすること。【解決手段】シートバック２の上部に装着されるヘッドレスト３を備えたシート１であって、ヘッドレスト３の内部から下方に延出するストレート部１１とヘッドレスト３の内部でストレート部１１から前方に曲がって延びる曲がり部１２とを備えたヘッドレストステー（ステー）１０と、シートバック２の上部に設けられてステー１０のストレート部１１が上側から差し込まれて位置固定されるヘッドレストサポート３０と、ステー１０の曲がり部１２に結合されてヘッドレスト３に対する後方からの入力荷重Ｐをステー１０に先行して受けられる形に張り出す張出部材２０と、を有する。【選択図】図３
2018086873.tif 000002
【特許請求の範囲】
【請求項１】
シートバックの上部に装着されるヘッドレストを備えた乗物用シートであって、
前記ヘッドレストの内部から下方に延出する延出部と前記ヘッドレストの内部で前記延出部から前方に曲がって延びる曲がり部とを備えたヘッドレストステーと、
前記シートバックの上部に設けられて前記ヘッドレストステーの前記延出部が上側から差し込まれて位置固定されるステー固定部と、
前記ヘッドレストステーの前記曲がり部に結合されて前記ヘッドレストに対する後方からの入力荷重を前記ヘッドレストステーに先行して受けられる形に張り出す張出部材と、を有し、
該張出部材がその後方から受ける入力荷重を前記曲がり部に伝達して前記延出部を前方に押し傾ける曲げ力として作用させる乗物用シート。
【請求項２】
請求項１に記載の乗物用シートであって、
前記ヘッドレストステーが、前記延出部の上端から前記曲がり部が前方に曲がって延びる形状とされ、
前記張出部材が、前記曲がり部における前記延出部と接続される接続部を越えて前方に延びる箇所に結合されている乗物用シート。
【請求項３】
請求項２に記載の乗物用シートであって、
前記曲がり部が、前記延出部の上端から前下がりに湾曲して延びる湾曲部位と、該湾曲部位の延びた先から前下がりに直線状に延びる直線部位と、を有し、
前記張出部材が、前記曲がり部の前記直線部位に沿って延びる形に当てられて結合される直線状に延びる結合部位と、該結合部位の後端から後ろ上がりに曲がって前記湾曲部位の上方領域へと張り出す跳ね上がり部位と、を有する構成とされている乗物用シート。
【請求項４】
請求項１から請求項３のいずれかに記載の乗物用シートであって、
前記ヘッドレストステーが、前記延出部と前記曲がり部とを左右一対で有する構成とされ、
前記張出部材が、前記左右一対の曲がり部間に一体的に架橋された両端支持状態で設けられた構成とされている乗物用シート。
【請求項５】
シートバックの上部に装着されるヘッドレストであって、
当該ヘッドレストの内部から下方に延出する延出部と当該ヘッドレストの内部で前記延出部から前方に曲がって延びる曲がり部とを備えたヘッドレストステーと、
該ヘッドレストステーの前記曲がり部に結合されて当該ヘッドレストに対する後方からの入力荷重を前記ヘッドレストステーに先行して受けられる形に張り出す張出部材と、を有し、
該張出部材がその後方から受ける入力荷重を前記曲がり部に伝達して前記延出部を前方に押し傾ける曲げ力として作用させるヘッドレスト。
【発明の詳細な説明】
【技術分野】
【０００１】
本発明は、ヘッドレスト及び乗物用シートに関する。詳しくは、シートバックの上部に装着されるヘッドレスト及び同ヘッドレストを備えた乗物用シートに関する。
【背景技術】
【０００２】
従来、乗物用シートにおいて、ヘッドレストがシートバックの上部に対して左右一対のヘッドレストステーの差し込みによって装着された構成が知られている（特許文献１）。上述した左右一対のヘッドレストステーは、それぞれ、シートバックの上部に埋設された対応する筒状の各ヘッドレストサポート内に差し込まれることで、これらに爪の引掛構造によりロックされて位置固定された状態に保持されるようになっている。
【先行技術文献】
【特許文献】
【０００３】
【特許文献１】特開２０１４−２３３３５１号公報
【発明の概要】
【発明が解決しようとする課題】
【０００４】
上記従来技術では、車両の前突発生によりヘッドレストに後側から後部座席の乗員の頭部等の重量物が当てられることで、各ヘッドレストステーに差込み方向の軸圧縮負荷が掛けられて、各ヘッドレストステーの位置固定状態が破損により崩れてしまう恐れがある。本発明は、上記問題を解決するものとして創案されたものであって、本発明が解決しようとする課題は、ヘッドレストに後方からの荷重入力があってもヘッドレストステーに差込み方向の軸圧縮力が掛かりにくくすることにある。
【課題を解決するための手段】
【０００５】
上記課題を解決するために、本発明のヘッドレスト及び乗物用シートは次の手段をとる。
【０００６】
第１の発明は、シートバックの上部に装着されるヘッドレストを備えた乗物用シートであって、ヘッドレストの内部から下方に延出する延出部とヘッドレストの内部で延出部から前方に曲がって延びる曲がり部とを備えたヘッドレストステーと、シートバックの上部に設けられてヘッドレストステーの延出部が上側から差し込まれて位置固定されるステー固定部と、ヘッドレストステーの曲がり部に結合されてヘッドレストに対する後方からの入力荷重をヘッドレストステーに先行して受けられる形に張り出す張出部材と、を有する。張出部材は、その後方から受ける入力荷重を曲がり部に伝達して延出部を前方に押し傾ける曲げ力として作用させる。
【０００７】
この第１の発明によれば、張出部材の設定により、ヘッドレストに後方からの荷重入力があってもヘッドレストステーの延出部に差込み方向の軸圧縮力が掛かりにくくすることができる。
【０００８】
第２の発明は、上述した第１の発明において、次の構成とされているものである。ヘッドレストステーが、延出部の上端から曲がり部が前方に曲がって延びる形状とされている。張出部材が、曲がり部における延出部と接続される接続部を越えて前方に延びる箇所に結合されている。
【０００９】
この第２の発明によれば、張出部材に入力された後方からの荷重を、曲がり部に対して、延出部をより前方に押し傾ける曲げ力として作用させやすくすることができる。
【００１０】
第３の発明は、上述した第２の発明において、次の構成とされているものである。曲がり部が、延出部の上端から前下がりに湾曲して延びる湾曲部位と、湾曲部位の延びた先から前下がりに直線状に延びる直線部位と、を有する。張出部材が、曲がり部の直線部位に沿って延びる形に当てられて結合される直線状に延びる結合部位と、結合部位の後端から後ろ上がりに曲がって湾曲部位の上方領域へと張り出す跳ね上がり部位と、を有する構成とされている。
【００１１】
この第３の発明によれば、張出部材をヘッドレストステーの曲がり部に対してより適切に結合しつつ、後方からの入力荷重を受けやすい領域に張り出させた状態とすることができる。
【００１２】
第４の発明は、上述した第１から第３のいずれかの発明において、次の構成とされているものである。ヘッドレストステーが、延出部と曲がり部とを左右一対で有する構成とされている。張出部材が、左右一対の曲がり部間に一体的に架橋された両端支持状態で設けられた構成とされている。
【００１３】
この第４の発明によれば、張出部材に入力された後方からの荷重をヘッドレストステーの各曲がり部へと左右でバランス良く安定した形で伝達することができる。
【００１４】
第５の発明は、シートバックの上部に装着されるヘッドレストであって、ヘッドレストの内部から下方に延出する延出部とヘッドレストの内部で延出部から前方に曲がって延びる曲がり部とを備えたヘッドレストステーと、ヘッドレストステーの曲がり部に結合されてヘッドレストに対する後方からの入力荷重をヘッドレストステーに先行して受けられる形に張り出す張出部材と、を有する。張出部材がその後方から受ける入力荷重を曲がり部に伝達して延出部を前方に押し傾ける曲げ力として作用させる。
【００１５】
この第５の発明によれば、張出部材の設定により、ヘッドレストに後方からの荷重入力があってもヘッドレストステーの延出部に差込み方向の軸圧縮力が掛かりにくくすることができる。
【図面の簡単な説明】
【００１６】
【図１】実施例１の乗物用シートの概略構成を表した斜視図である。
【図２】図１の側面図である。
【図３】ヘッドレストに後方から車両の衝突発生に伴う衝撃荷重が入力された状態を表した側面図である。
【図４】上記荷重入力によりヘッドレストステーが前方に押し傾けられた状態を表した側面図である。
【発明を実施するための形態】
【００１７】
以下に、本発明を実施するための形態について、図面を用いて説明する。
【実施例１】
【００１８】
《シート１の概略構成について》
始めに、実施例１のシート１（乗物用シート）及びヘッドレスト３の構成について、図１〜図４を用いて説明する。なお、以下の説明において、前後上下左右等の各方向を示す場合には、各図中に示されたそれぞれの方向を指すものとする。本実施例のシート１は、３列シートを備えた自動車の２列目シートとして構成されている。上記シート１は、図１〜図２に示すように、着座乗員の背凭れ部となるシートバック２と、着座部となる図示しないシートクッションと、頭凭れ部となるヘッドレスト３と、を備えた構成となっている。
【００１９】
上述したシートバック２は、その左右両サイドの下端部が、それぞれ図示しないリクライナを介してシートクッションの左右両サイドの後端部に連結されて支持されている。ヘッドレスト３は、シートバック２の上面部に上側から差し込まれて位置固定された状態に装着されて設けられている。具体的には、ヘッドレスト３は、その下面部から垂下する形で延び出すヘッドレストステー１０の左右一対の各ストレート部１１が、それぞれ、シートバック２の上面部に埋設された左右一対の筒状の各ヘッドレストサポート３０の差込孔３１内に上側から差し込まれることにより、これらヘッドレストサポート３０に装着されてシートバック２の上面部に位置固定された状態とされている。ここで、各ストレート部１１が本発明の「延出部」に相当する。
【００２０】
より詳しくは、上述したヘッドレスト３は、上述したヘッドレストステー１０の各ストレート部１１が各ヘッドレストサポート３０の対応する差込孔３１内に差し込まれることにより、左側のストレート部１１の外周部に形成された係止溝１１Ａ内に同側のヘッドレストサポート３０内に設けられた係止爪３２が弾性的に嵌り込んで係止されるようになっている。上記係止により、上述したヘッドレストステー１０の各側のストレート部１１の各側のヘッドレストサポート３０内へのそれ以上の差込方向の移動が規制された状態となる。その結果、ヘッドレスト３がシートバック２の上面部に位置固定された状態として保持される。
【００２１】
上述した左側のヘッドレストサポート３０の係止爪３２によるヘッドレストステー１０の位置固定状態は、同側のヘッドレストサポート３０に設けられたツマミ３３が使用者によって横から押し込まれることにより解除されるようになっている。上記解除により、ヘッドレストステー１０の各ストレート部１１を各ヘッドレストサポート３０に対して更に深く差し込んだり引き抜く方向に動かしたりすることができるようになっている。ここで、上述した左側のヘッドレストサポート３０に係止爪３２を持つ各ヘッドレストサポート３０の構成が、本発明の「ステー固定部」に相当する。
【００２２】
《ヘッドレストステー１０の具体的な構成について》
上述したヘッドレストステー１０は、正面視が略Ｕ字状となる形に折り曲げられた１本の円鋼管材により形成されている。詳しくは、ヘッドレストステー１０は、高さ方向に真っ直ぐな形となって延びる左右一対のストレート部１１と、各ストレート部１１の上端（接続部１２Ａｂ：図２参照）から前下がり状の形に折り曲げられた左右一対の曲がり部１２と、各曲がり部１２の延びた先の端部同士を左右方向に真っ直ぐな形で繋ぐ架橋部１３と、を有した左右対称な形に折り曲げられて形成されている。より詳しくは、上述した左右一対の各曲がり部１２は、それぞれ、各ストレート部１１の上端から前側に一端上がって下がるように円弧状に湾曲する形に折り曲げられた湾曲部位１２Ａと、同湾曲部位１２Ａの延びた先から前下がり方向に直線状に延びる直線部位１２Ｂと、を有する形に形成されている。
【００２３】
上述したヘッドレストステー１０は、その左右のストレート部１１の長さ方向の中間部から上側の、各曲がり部１２と架橋部１３とを含む上部領域が、ヘッドレスト３内に一体的に埋め込まれた状態とされた構成とされている。上記構成により、ヘッドレストステー１０は、その左右のストレート部１１の長さ方向の中間部から下側の領域が、ヘッドレスト３の下面部から左右一対となって下方に真っ直ぐ延びる形となって設けられた構成とされている。上述したヘッドレスト３は、図１に示すように、上述したヘッドレストステー１０の上部領域を図示しない発泡ウレタン製のパッド材によって外周側から広く覆った状態として、外部から受ける荷重を弾性的に受け止めることができるように構成されている。
【００２４】
しかし、上述したヘッドレスト３は、車両の前部衝突の発生時等、後側から重量物が衝突するような大荷重の入力を受けた際には、例えば図２〜図３に示すヘッドフォームＨＦの動きのように、上述した不図示のパッド材の弾性だけではその荷重を十分に受け止めきれずに、ヘッドレストステー１０に対して略直接的となる大きな入力荷重Ｐが掛けられることがある（図３参照）。その際、上記ヘッドレストステー１０に掛けられた入力荷重Ｐが、左側のストレート部１１に対してその差込方向となる軸方向に大きな荷重成分となって入力されることがあると、同左側のストレート部１１が同側のヘッドレストサポート３０内の係止爪３２による係止状態から外されて下側に押し込まれてしまう事態が発生するおそれがある。
【００２５】
そこで、このような事態の発生を防止するために、上述したヘッドレストステー１０には、上述したヘッドレスト３に対して後方からの入力荷重Ｐが掛けられる際に、その入力荷重Ｐをヘッドレストステー１０に先行して受けられる形に張り出す張出部材２０が取り付けられている。上記張出部材２０は、上述したヘッドレストステー１０の各曲がり部１２に結合されており、図３に示すようにその後方から受けた入力荷重Ｐを各曲がり部１２に伝達して、各ストレート部１１を主として前方に押し傾ける曲げ力として作用させる構成とされている。
【００２６】
したがって、上記張出部材２０の設定により、ヘッドレストステー１０は、図４に示すように、上記のような後方からの入力荷重Ｐを受けた際には、各ストレート部１１を支える各ヘッドレストサポート３０に前回り方向の曲げ応力を集中的に作用させて、これらヘッドレストサポート３０を支えるシートバック２のアッパフレーム２Ｆを捩り変形させる形で全体が前傾する形となって押し動かされるようになっている。そして、上記ヘッドレストステー１０は、上記前傾移動の進行により、その張出部材２０を介して後方から受ける入力荷重Ｐが益々前方に押し傾けられる曲げ力として変換されやすい状態となり、各側のストレート部１１が各側のヘッドレストサポート３０によって適切に落ち込み防止されたままの状態に維持されるようになっている。
【００２７】
上述した各ヘッドレストサポート３０は、図１に示すように、上述したシートバック２のアッパフレーム２Ｆの前面部に固着された左右一対の角筒状の各ホルダ２Ｈ内にそれぞれ上側から差し込まれて一体的に装着された状態として設けられている。上述した各ヘッドレストサポート３０には、それらの中心部に、上述したヘッドレストステー１０の各ストレート部１１をそれぞれ上側から差し込むことでこれらの差し込まれた部分全体を外周側から全域に亘って拘束した状態として囲い込むことのできる丸孔形状の差込孔３１が高さ方向に貫通した形となって形成されている。
【００２８】
《張出部材２０の具体的な構成について》
次に、上述した張出部材２０のより具体的な構成について詳しく説明する。すなわち、張出部材２０は、平面視が略Ｕ字状となる形に折り曲げられた１本の円鋼管材により形成されている。詳しくは、上述した張出部材２０は、上述したヘッドレストステー１０を構成する円鋼管材と略同じ直径（外径）を持つ円鋼管材により形成されている。上述した張出部材２０は、そのＵ字の両脚片２１を構成する前下方向に斜めに延びる左右一対の脚片２１と、各脚片２１の後ろ上がり状に延びた先の端部同士を左右方向に真っ直ぐな形で繋ぐ架橋片２２と、を有した左右対称な形に折り曲げられて形成されている。
【００２９】
より詳しくは、上述した左右一対の各脚片２１は、それぞれ、それらの延びる長さ方向の途中箇所が側面視で後ろ上がり状となる形に屈曲した状態に折り曲げられることで、上述したヘッドレストステー１０の各曲がり部１２に結合される結合部位２１Ａと、各結合部位２１Ａに対して後ろ上がり状に屈曲するように跳ね上がる跳ね上がり部位２１Ｂと、を有した形に形成されている。そして、上記各脚片２１は、それぞれ、それらの前下方向に延びる先端側の各結合部位２１Ａが、上述したヘッドレストステー１０の各曲がり部１２の直線部位１２Ｂの間にこれらと互いに幅方向に隣り合って平行向きに延びる形に合わせられて、これらの合わせられた領域同士が互いの長さ方向に広く一体的に溶着されて固定された状態とされている。
【００３０】
上記結合により、張出部材２０は、図２に示すように、その左右の各脚片２１の跳ね上がり部位２１Ｂが、各結合部位２１Ａとの付け根から後ろ上がり状に屈曲して跳ね上がる形に設けられた状態とされている。それにより、張出部材２０は、上述した各跳ね上がり部位２１Ｂがヘッドレストステー１０の各曲がり部１２よりも上側に張り出した状態として、それらの延びた先の端部同士を繋ぐ架橋片２２がヘッドレストステー１０の各曲がり部１２の間の上側領域に張り出した状態として設けられるようになっている。
【００３１】
詳しくは、上述した張出部材２０は、シートバック２の背凭れ角度がニュートラル位置にある状態において、図３に示すように、車両の前部衝突の発生により上述したヘッドレスト３に向かって後側からヘッドフォームＨＦ（人体の頭部を単純化したφ１６５ｍｍの球体）が移動してきた時に、上述したヘッドレストステー１０の曲がり部１２やストレート部１１に先行してヘッドフォームＨＦと当たるように設けられた状態とされている。より詳しくは、上述した張出部材２０は、上記後側から向かってきたヘッドフォームＨＦと架橋片２２との接触点の接線ＴＬが、水平線に対して上斜め４５度となる形でヘッドフォームＨＦと当たってその荷重を受けるようになっている。
【００３２】
このような構成とされていることにより、張出部材２０は、そのヘッドフォームＨＦから受けた入力荷重Ｐが、上述したヘッドレストステー１０のストレート部１１の差込方向の他、前方向にも掛けられる状態とされるようになっている。そして、上記張出部材２０は、その架橋片２２において受けた入力荷重Ｐを、その左右の結合部位２１Ａが結合されているヘッドレストステー１０の各曲がり部１２の直線部位１２Ｂに強く伝達して、ヘッドレストステー１０に対してその支持点となるアッパフレーム２Ｆまわりの曲げの負荷を作用させるようになっている。詳しくは、上記張出部材２０は、上記の入力荷重Ｐを、ヘッドレストステー１０の各ストレート部１１よりも前側に偏心した位置にある各曲がり部１２の直線部位１２Ｂ（各曲がり部１２の円弧状に湾曲する形に折り曲げられた湾曲部位１２Ａのアールの始まりと終わりとの間の中点である曲げ点１２Ａａよりも前側に偏心した位置にある部位）へと伝達するようになっている。
【００３３】
これにより、上述したヘッドレストステー１０は、上記の入力荷重Ｐによって、その左右のストレート部１１が差込方向に押し込まれる軸方向の圧縮力よりも上記アッパフレーム２Ｆのまわりに前回りに押し曲げられる回転方向の力を大きく受けて、図４に示すように、左右のストレート部１１がアッパフレーム２Ｆのまわりに前方に押し傾けられるように変形あるいは変位するようになっている。
【００３４】
そして、上記ヘッドレストステー１０は、上記のように前方に押し傾けられるように変形或いは変位することにより、そこから受ける入力荷重Ｐの作用が、益々前方に押し傾けられる曲げ力として負荷されやすい状態となる。このようなことから、ヘッドレストステー１０は、上記のようにヘッドフォームＨＦから入力荷重Ｐを受けても、各ストレート部１１に対して差込方向の強い軸圧縮力が負荷されることがなく、これらストレート部１１を位置固定した状態に支えている左側のヘッドレストサポート３０の係止爪３２との係合状態から外されにくくなる。したがって、上記入力荷重Ｐによってヘッドレストステー１０の位置固定状態が破損により崩れてしまうおそれが少ないため、上記の入力荷重Ｐをヘッドレストステー１０の支持系統の塑性変形に伴ってエネルギ吸収しながら適切に受け止めることができる。
【００３５】
なお、上述した張出部材２０は、上述したヘッドレストステー１０の外径の略半分以上の外径を持つ構成となっていることにより、上述したヘッドフォームＨＦから受ける入力荷重Ｐを大きな塑性変形を伴うことなくヘッドレストステー１０に安定して伝達することができる。上記張出部材２０は、そのヘッドフォームＨＰからの入力荷重Ｐを受ける架橋片２２が幅方向に延びる円鋼管材によって構成されていることにより、シートバック２の背凭れ角度がニュートラル位置から前後方向にある程度ずれた状態で入力荷重Ｐを受けても、その円弧状の外周面により上記と略同じ形態でヘッドフォームＨＰと当たることができるようになっている。
【００３６】
《まとめ》
以上をまとめると、本実施例のシート１は次のような構成となっている。すなわち、シートバック（シートバック２）の上部に装着されるヘッドレスト（ヘッドレスト３）を備えた乗物用シート（シート１）であって、ヘッドレスト（ヘッドレスト３）の内部から下方に延出する延出部（ストレート部１１）とヘッドレスト（ヘッドレスト３）の内部で延出部（ストレート部１１）から前方に曲がって延びる曲がり部（曲がり部１２）とを備えたヘッドレストステー（ヘッドレストステー１０）と、シートバック（シートバック２）の上部に設けられてヘッドレストステー（ヘッドレストステー１０）の延出部（ストレート部１１）が上側から差し込まれて位置固定されるステー固定部（ヘッドレストサポート３０）と、ヘッドレストステー（ヘッドレストステー１０）の曲がり部（曲がり部１２）に結合されてヘッドレスト（ヘッドレスト３）に対する後方からの入力荷重（入力荷重Ｐ）をヘッドレストステー（ヘッドレストステー１０）に先行して受けられる形に張り出す張出部材（張出部材２０）と、を有する。張出部材（張出部材２０）は、その後方から受ける入力荷重（入力荷重Ｐ）を曲がり部（曲がり部１２）に伝達して延出部（ストレート部１１）を前方に押し傾ける曲げ力として作用させる。
【００３７】
このような構成とされていることにより、張出部材（張出部材２０）の設定により、ヘッドレスト（ヘッドレスト３）に後方からの荷重入力があってもヘッドレストステー（ヘッドレストステー１０）の延出部（ストレート部１１）に差込み方向の軸圧縮力が掛かりにくくすることができる。
【００３８】
また、ヘッドレストステー（ヘッドレストステー１０）が、延出部（ストレート部１１）の上端から曲がり部（曲がり部１２）が前方に曲がって延びる形状とされている。張出部材（張出部材２０）が、曲がり部（曲がり部１２）における延出部（ストレート部１１）と接続される接続部（接続部１２Ａｂ）を越えて前方に延びる箇所（直線部位１２Ｂ）に結合されている。このような構成とされていることにより、張出部材（張出部材２０）に入力された後方からの荷重（入力荷重Ｐ）を、曲がり部（曲がり部１２）に対して、延出部（ストレート部１１）をより前方に押し傾ける曲げ力として作用させやすくすることができる。
【００３９】
また、曲がり部（曲がり部１２）が、延出部（ストレート部１１）の上端から前下がりに湾曲して延びる湾曲部位（湾曲部位１２Ａ）と、湾曲部位（湾曲部位１２Ａ）の延びた先から前下がりに直線状に延びる直線部位（直線部位１２Ｂ）と、を有する。張出部材（張出部材２０）が、曲がり部（曲がり部１２）の直線部位（直線部位１２Ｂ）に沿って延びる形に当てられて結合される直線状に延びる結合部位（結合部位２１Ａ）と、結合部位（結合部位２１Ａ）の後端から後ろ上がりに曲がって湾曲部位（湾曲部位１２Ａ）の上方領域へと張り出す跳ね上がり部位（跳ね上がり部位２１Ｂ）と、を有する構成とされている。このような構成とされていることにより、張出部材（張出部材２０）をヘッドレストステー（ヘッドレストステー１０）の曲がり部（曲がり部１２）に対してより適切に結合しつつ、後方からの入力荷重（入力荷重Ｐ）を受けやすい領域に張り出させた状態とすることができる。
【００４０】
また、ヘッドレストステー（ヘッドレストステー１０）が、延出部（ストレート部１１）と曲がり部（曲がり部１２）とを左右一対で有する構成とされている。張出部材（張出部材２０）が、左右一対の曲がり部（曲がり部１２）間に一体的に架橋された両端支持状態で設けられた構成とされている。このような構成とされていることにより、張出部材（張出部材２０）に入力された後方からの荷重（入力荷重Ｐ）をヘッドレストステー（ヘッドレストステー１０）の各曲がり部（曲がり部１２）へと左右でバランス良く安定した形で伝達することができる。
【００４１】
《その他の実施例について》
以上、本発明の実施形態を１つの実施例を用いて説明したが、本発明は上記実施例のほか各種の形態で実施することができるものである。例えば、本発明の「シート」は、自動車の２列目以外のシートの他、鉄道等の自動車以外の車両に適用されるシートや、航空機、船舶等の様々な乗物用に供されるシートにも広く適用することができるものである。また、ヘッドレストは、ヘッドレストステーがその内部で前下がり状に折れ曲がった形となって形成される、いわゆるＬ型（鞍型）タイプの構成の他、ヘッドレストステーがその内部で前方に「＞」字状に折れ曲がった形となって形成されるタイプや、その他の形で形成されるものであってもよい。
【００４２】
また、ヘッドレストステーは、必ずしも左右一対の棒形状から成るものでなくてもよく、板形状その他の形状から成る部材によって構成されたものであってもよい。また、ヘッドレストステーを支えるステー固定部は、ヘッドレストステーを高さ方向や前後方向に位置調節可能に支えたり前後方向に倒して格納できる状態で支える構成から成るものであってもよい。
【００４３】
また、ヘッドレストステーの延出部は、必ずしもヘッドレストの内部から真っ直ぐに延出する形に限定されず、途中箇所が曲がったりするなどのストレート以外の形状から成るものであってもよい。また、ヘッドレストステーの曲がり部は、延出部の上端から前方に湾曲する形に形成されるものの他、前方に屈曲する形に形成されるもの、延出部にそのような形をとるように組み付けられるものであってもよい。また、上記曲がり部は、延出部の延びる長さ方向の途中箇所から枝分かれ状に前方に張り出す形に形成されるものであってもよい。
【００４４】
また、張出部材は、上記ヘッドレストステーの曲がり部に結合されてヘッドレストに対する後方からの入力荷重をヘッドレストステーに先行して受けられる形に張り出すものであればよく、その具体的な形状や張出位置は特定の形状や位置に限定されるものではない。具体的には、張出部材は、ヘッドレストステーと同じような管材から成るものに限らず、板材その他の形状材から成るものであってもよい。また、張出部材は、上記のようにヘッドレストステーに先行して後方からの入力荷重を受けられる態様であれば、必ずしもヘッドレストステーの上方側に形状を張り出させなくてもよく、後方側や下方側に形状を張り出させるものであってもよい。
【００４５】
上記張出部材によって後方から受ける入力荷重をヘッドレストステーの曲がり部に伝達して延出部を前方に押し傾ける曲げ力の作用は、主として曲がり部に対する結合箇所の偏心量の増大により強めるようにしてもよいが、曲がり部に対する取り付け向きを入力荷重が曲げ方向に作用しやすい向きにすることによって強めるようにしてもよい。また、張出部材は、ヘッドレストステーの曲がり部に対して、両端支持状態でなく片持ち支持状態で結合されたものであってもよい。
【符号の説明】
【００４６】
１      シート（乗物用シート）
２      シートバック
２Ｆ    アッパフレーム
２Ｈ    ホルダ
３      ヘッドレスト
１０    ヘッドレストステー
１１    ストレート部（延出部）
１１Ａ  係止溝
１２    曲がり部
１２Ａ  湾曲部位
１２Ａａ  曲げ点
１２Ａｂ  接続部
１２Ｂ  直線部位
１３    架橋部
２０    張出部材
２１    脚片
２１Ａ  結合部位
２１Ｂ  跳ね上がり部位
２２    架橋片
３０    ヘッドレストサポート（ステー固定部）
３１    差込孔
３２    係止爪
３３    ツマミ
ＨＦ    ヘッドフォーム
ＴＬ    接線
Ｐ      入力荷重
【図１】
2018086873.tif 000003
【図２】
2018086873.tif 000004
【図３】
2018086873.tif 000005
【図４】
2018086873.tif 000006